(57)【特許請求の範囲】
【請求項１】
筺体に設置された複数の換気扇を制御する温度調節器であって、温度制御基板を収納したケースを換気扇の外部に取り付け可能な構造とするとともに、複数の換気扇をオンオフ制御する２組の出力端子を備え、一方の出力端子はその温度調節器が取り付けられた換気扇の電源線に接続され、他方の出力端子は他の換気扇の温度調節器の電源線に接続され、設定温度に達したときに順次他の換気扇の温度調節器に給電する構造としたことを特徴とする換気扇用の温度調節器。
【請求項２】
ケースが、換気扇の外郭に着脱可能なものであることを特徴とする請求項１記載の換気扇用の温度調節器。
【請求項３】
ケースが、前板部と、ネジにより操作できる締付可動部材とにより、換気扇の外郭に固定されるものであることを特徴とする請求項２記載の換気扇用の温度調節器。
【発明の詳細な説明】
【技術分野】
【０００１】
本発明は、分電盤、配電盤などの電気電子機器収納用キャビネットに設置された複数の換気扇を制御するための温度調節器に関するものである。
【背景技術】
【０００２】
電気電子機器収納用キャビネットの筺体には、内部機器の発熱による筺体内部温度の上昇を抑制するために、複数の換気扇が設けられているのが普通である。特許文献１に示されるように、個々の換気扇の内部にはそれぞれ温度センサーを備えた温度調節器が取り付けられており、その周辺温度が設定温度に達するとその換気扇をオンとするオンオフ制御が行われていた。
【０００３】
個々の温度調節器は温度設定部を備えているため、各換気扇ごとの温度設定は可能である。しかし、各換気扇は他の換気扇とは独立してオンオフ制御されるため、筺体全体の効率的な換気を行いにくいうえ、温度調節器を備えていない既設の換気扇をオンオフ制御するためには、換気扇を温度調節器を備えたものに取り替える必要があり、コスト高になるという問題があった。
【特許文献１】実開平５−５９１７３号公報
【発明の開示】
【発明が解決しようとする課題】
【０００４】
本発明は上記した従来の問題点を解決して、複数の換気扇を連携して制御することにより、筺体全体の効率的な換気を可能としたうえ、既設の温度調節器を備えていない換気扇について、オンオフ制御が必要となった場合、該換気扇に温度調節器を取り付け接続することにより、オンオフ制御が可能な換気扇用の温度調節器を提供することを目的とするものである。
【課題を解決するための手段】
【０００５】
上記の課題を解決するためになされた本発明は、筺体に設置された複数の換気扇を制御する温度調節器であって、温度制御基板を収納したケースを換気扇の外部に取り付け可能な構造とするとともに、複数の換気扇をオンオフ制御する２組の出力端子を備え、一方の出力端子はその温度調節器が取り付けられた換気扇の電源線に接続され、他方の出力端子は他の換気扇の温度調節器の電源線に接続され、設定温度に達したときに順次他の換気扇の温度調節器に給電する構造としたことを特徴とするものである。
【０００６】
なお、ケースが換気扇の外郭に着脱可能なものであることが好ましく、この場合、ケースが前板部とネジにより操作できる締付可動部材とにより、換気扇の外郭に固定されるものとすることができる。
【発明の効果】
【０００７】
本発明によれば、換気扇の外部に取り付けた換気扇用の温度調節器によって複数の換気扇をオンオフ制御することができるので、複数の換気扇を連携して制御することにより、筺体全体の効率的な換気が可能となる。また温度制御基板を収納したケースを換気扇の外部に取り付け可能な構造としたので、温度調節器を備えていない換気扇であってもオンオフ制御を行うことが可能となり、既設の換気扇を温度調節器を備えたものに取り替える必要がなくなるので、コストを押さえることができるうえ、筺体全体の効率的な換気を行うことができるという利点がある。
【発明を実施するための最良の形態】
【０００８】
以下に本発明の好ましい実施形態を示す。
図１は、筺体１の上部に３個の換気扇２を配置した電気電子機器収納用キャビネットを示す図である。この実施形態では、３つの換気扇２のそれぞれに換気扇用の温度調節器３が取り付けられている。
【０００９】
図２〜図４は換気扇２の外郭に取り付けられた換気扇用の温度調節器３の外観を示す図である。図示されるように、換気扇用の温度調節器３のケース５は、前面左右の下方に突設された前面板６を備えており、この前面板６を換気扇２の外郭７の前面に添わせて配置される。またこの前面板６の背面にはネジ８によって進退させることができる締付可動体９が設けられており、前面板６と締付可動体９とによって換気扇２の外郭縁部を挟み込むことによって、ケース５を換気扇２の外郭７の上部に固定できるようになっている。なお、ネジ８はケース５の左右側方に張り出し形成された断面コ字状の突出部１０に貫通されて、前面から回転できるようにしてある。また換気扇２を筺体１に取り付けるためのネジ孔１１の部分は、前面板６や締付可動体９が重ならないように切り欠いておくものとする。
【００１０】
ケース５の内部には、図５に示すような温度制御基板１２が収納されている。その中央部にはダイヤル式温度設定部１３が設けられており、１０位の設定部と１位の設定部とを独立させることにより、小型で高精度な温度設定を可能としてある。ただし１０位の設定部のうち高温部分は使用しないので、ケース５に組み込んだときに窓部から高温部分が現れないようにしておけば、設定温度を間違って高温に設定してしまうおそれのないものである。
【００１１】
図３に示すように、ケース５の片側側面には電源入力端子１４と温度センサー用端子１５とが設けられている。温度センサー用端子１５には、図１０、図１１に示されるようなプラグ化された温度センサー１６が挿入できるようになっている。温度センサー１６の長さは変更可能であり、測温位置を自由に設定することができる。
【００１２】
またケース５の反対側の側面には、複数の出力端子１７が設けられている。この例では２組の出力端子１７が設けられ、一方は換気扇用の温度調節器３が取り付けられた換気扇２の電源線に接続され、他方は接続配線４により他の換気扇２の電源線に接続されている。
【００１３】
【００１４】
【００１５】
上記した実施形態では、換気扇用の温度調節器３を換気扇２の外郭７に取り付けたが、図６、図７に示すように、ケース５の底面に筺体１のＩＥＣレールに取り付けるための引っ掛け部１８を突設しておき、ＩＥＣレールに直接固定できるようにしてもよい。またケース５の底面両側には、盤面直付け用の脚部１９を突設しておき、盤面にも取り付けができるようにしてある。この場合、引っ掛け部１８の突出量は脚部１９よりも低くしておき、盤面直付けの際に引っ掛け部１８が当たらないようにしておく。
【００１６】
なお、実施形態のように換気扇用の温度調節器３を換気扇２の外郭７に取り付ける場合には、換気扇２の正面側からダイヤル式温度設定部１３が操作できるようにケース５の側面にダイヤル式温度設定部１３を臨ませた。しかし、図６、図７では換気扇用の温度調節器３を換気扇２の外部である筺体１のＩＥＣレールに取り付けたので、ケース５の上面にダイヤル式温度設定部１３を臨ませ、上面からの操作ができるようにしてある。
【００１７】
このように温度調節器３の取り付け位置によってダイヤル式温度設定部１３の設置位置が異なるため、２種類のケース５を製作する必要がある。しかし、図８、図９に示すようにケース５を２分割式とし、操作面ケース２０と温度制御基板１２とは共通とし、本体ケース２１のみを２種類製造して組み合せるようにすれば、コストダウンを図ることができる。なお、図１０、図１１は図６、図７に示した換気扇用の温度調節器３に温度センサー１６を装着した状態を示すが、実施形態についても同様である。
【００１８】
図１に示す本発明の実施形態では、３つの換気扇２のそれぞれに換気扇用の温度調節器３が取り付けられている。各換気扇用の温度調節器３は右側に２組の出力端子１７を備え、一方は換気扇用の温度調節器３が取り付けられた換気扇２の電源線に接続され、他方は接続配線４により他の換気扇２の取り付けられた換気扇用の温度調節器３の電源入力端子１４に接続されている。また各換気扇用の温度調節器３には温度センサー１６が装着されている。なお図１では温度センサー１６は温度調節器３と別体に設けられているが、温度調節器３の内部に一体に組み込んだものとしてもよい。
【００１９】
この実施形態では、左から右に向かって設定温度を例えば３０℃、３５℃、４０℃というように順次高くしておく。このため筺体１の内部温度が３０℃を越えると左側の換気扇２が駆動され、これと同時に中央の換気扇２の換気扇用の温度調節器３に電源を供給する。中央の換気扇２は給電を受けて温度監視を開始し、その設定温度である３５℃になったときに駆動を開始するとともに、右側の換気扇２の換気扇用の温度調節器３に電源を供給する。左側の換気扇２は給電を受けて温度監視を開始し、その設定温度である４０℃になったときに駆動を開始する。
【００２０】
この実施形態では、低温状態では単一の換気扇用の温度調節器３のみで温度監視を行わせておけばよいので、常に全部の換気扇用の温度調節器３で温度監視を行わせるよりも、電力を削減することができる。しかも複数箇所の温度監視が可能となる利点がある。
【００２１】
以上のように、本発明によれば複数の換気扇を連携して制御することにより、筺体全体の効率的な換気が可能となり、特に分電盤、配電盤などの電気電子機器収納用キャビネットに用いるに適したものである。
【図面の簡単な説明】
【００２２】
【図１】本発明の実施形態を示す全体図である。
【図２】実施形態における換気扇用の温度調節器の外観斜視図である。
【図３】反対側から見た外観斜視図である。
【図４】取り付け部分の拡大斜視図である。
【図５】温度制御基板の斜視図である。
【図６】他の参考形態における換気扇用の温度調節器の外観斜視図である。
【図７】上下を反転させた外観斜視図である。
【図８】ケースの分解斜視図である。
【図９】ケースの分解斜視図である。
【図１０】温度センサーの装着状態を示す外観斜視図である。
【図１１】反対側から見た外観斜視図である。
【符号の説明】
【００２３】
１  筺体
２  換気扇
３  換気扇用の温度調節器
４  接続配線
５  ケース
６  前面板
７  換気扇の外郭
８  ネジ
９  締付可動体
１０  突出部
１１  ネジ孔
１２  温度制御基板
１３  ダイヤル式温度設定部
１４  電源入力端子
１５  温度センサー用端子
１６  温度センサー
１７  出力端子
１８  引っ掛け部
１９  脚部
２０  操作面ケース
２１  本体ケース
【図１】
0004766601.tif 000002
【図２】
0004766601.tif 000003
【図３】
0004766601.tif 000004
【図４】
0004766601.tif 000005
【図５】
0004766601.tif 000006
【図６】
0004766601.tif 000007
【図７】
0004766601.tif 000008
【図８】
0004766601.tif 000009
【図９】
0004766601.tif 000010
【図１０】
0004766601.tif 000011
【図１１】
0004766601.tif 000012